(57)【要約】【課題】簡素な構成で量産性、耐久性に優れ、既存の容器本体に容易に装着することができ、容器本体に収容された各種のスラリーをお玉等で掬い取った際に、お玉等から垂れるスラリーを受け止めて確実に容器本体に回収することができ、スラリーが周囲に落下したり、容器本体の外周面に付着したりすることを防止して、清掃作業の手間を省くことができ、衛生的で使用性、洗浄性に優れる液垂れ防止具の提供。【解決手段】スラリーが収容される容器本体の周壁部の上端側周縁に装着される装着部と、装着部に延設され容器本体の周壁部の上端側周縁から外方に突出する鍔部と、を備える。【選択図】図１
0003205621.tif 000002
【実用新案登録請求の範囲】
【請求項１】
スラリーが収容される容器本体の周壁部の上端側周縁に装着される装着部と、前記装着部に延設され前記容器本体の前記周壁部の上端側周縁から外方に突出する鍔部と、を備えたことを特徴とする液垂れ防止具。
【請求項２】
前記鍔部の上面に前記容器本体の前記周壁部の上端側周縁から外方に向かって高くなるように形成された傾斜部を備えたことを特徴とする請求項１に記載の液垂れ防止具。
【請求項３】
前記装着部が前記容器本体の前記周壁部を挟持する挟持部又は前記周壁部の内周面に当接して固定される固着部を備えたことを特徴とする請求項１又は２に記載の液垂れ防止具。
【請求項４】
スラリーが収容される容器本体に請求項１乃至３の内いずれか１項に記載の液垂れ防止具が装着されたことを特徴とする液垂れ防止容器。
【考案の詳細な説明】
【技術分野】
【０００１】
本考案は、タコ焼、鯛焼、クレープ等の粉物料理を作る際に用いられる小麦粉の練り生地等のスラリーが収容される容器本体に装着することにより、スラリーが容器本体の外周面等に付着することを防止する液垂れ防止具及びそれを備えた液垂れ防止容器に関する。
【背景技術】
【０００２】
従来、タコ焼、鯛焼、クレープ等の粉物料理を作る際には、小麦粉を水で練った練り生地を容器に収容しておき、そこから必要量の練り生地をお玉等で掬って鉄板等の調理器具に移し替えて使用しているが、お玉等から伝い落ちた練り生地が周囲に落下したり、容器の外周面に付着したりして、清掃作業に手間がかかり、非衛生的で使用性に欠けると共に、練り生地を無駄にしてしまうという問題点を有していた。
また、略円筒状の容器に注ぎ口を形成し、注ぎ口と直交する位置に取っ手を設けて、容器を注ぎ口の方向に傾けることにより、練り生地を鉄板等に流し入れる粉つぎも使用されているが、練り生地を容器に注ぐ際に容器の外周面や受皿等に垂れ落ちることがあり、上記と同様の問題点を有していた。
これらの問題点を解決するものとして、（特許文献１）には、下端に注入口を開口して漏斗形をした練り生地を貯留できる容器と、容器の外方に突出する把手と、把手に収納されて手の操作で上下できる引金を下方に覗かせた吊棒と、吊棒に連係されて容器内の器壁近くを下降し、下端に注入口を開閉できる開閉弁を取り付けた弁棒と、容器に取り付けられ、注入口を浮かせた状態で容器を自立させることができる脚とからなる練り生地注入器が開示されている。
【先行技術文献】
【特許文献】
【０００３】
【特許文献１】実用新案登録第３１４２５９３号公報
【考案の開示】
【考案が解決しようとする課題】
【０００４】
しかしながら、上記従来の技術は以下のような課題を有していた。
（１）（特許文献１）の練り生地注入器は、容器の下端に注入口が形成されているので、容器の外周面に練り生地が付着することはないが、注入口から垂れた練り生地が落下して周囲を汚してしまうという課題を有していた。
（２）また、把手に収納された引金を上下させることにより、吊棒に連係された弁棒で開閉弁を上下動させて注入口を開閉する構造であるため、練り生地が固まると、弁棒等が動かなくなったり、注入口が詰まったりする恐れがあり、故障や動作不良が発生し易く、動作の安定性、長寿命性に欠けるという課題を有していた。
（３）弁棒等の動作不良や注入口の詰まりを防止するため、使用後は内部を洗浄しなければならないが、構造が複雑で洗浄に手間がかかり、洗い残しが発生し易く、非衛生的で取扱い性に欠けるという課題を有していた。
【０００５】
本考案は上記従来の課題を解決するもので、簡素な構成で量産性、耐久性に優れ、既存の容器本体に容易に装着することができ、容器本体に収容された各種のスラリーをお玉等で掬い取った際に、お玉等から垂れるスラリーを受け止めて確実に容器本体に回収することができ、スラリーが周囲に落下したり、容器本体の外周面に付着したりすることを防止して、清掃作業の手間を省くことができ、衛生的で使用性、洗浄性に優れる液垂れ防止具の提供及び液垂れ防止具を備えることにより、容器本体に収容された各種のスラリーをお玉等により掬い取った際に、お玉等から垂れるスラリーを液垂れ防止具で受け止めて確実に容器本体に回収することができ、スラリーが周囲に落下したり、容器本体の外周面に付着したりすることを防止して、清掃作業の手間を省くことができ、衛生的で使用性、洗浄性に優れ、スラリーを無駄にすることなく使用することができ、省資源性に優れる液垂れ防止容器の提供を目的とする。
【課題を解決するための手段及びそれによって得られる作用、効果】
【０００６】
上記従来の課題を解決するために本考案の液垂れ防止具及びそれを備えた液垂れ防止容器は、以下の構成を有している。
本考案の請求項１に記載の液垂れ防止具は、スラリーが収容される容器本体の周壁部の上端側周縁に装着される装着部と、前記装着部に延設され前記容器本体の前記周壁部の上端側周縁から外方に突出する鍔部と、を備えた構成を有している。
この構成により、以下のような作用、効果が得られる。
（１）スラリーが収容される容器本体の周壁部の上端側周縁に装着される装着部を有するので、既存の容器本体に容易に装着することができ、装着作業性、汎用性に優れる。
（２）装着部に延設され容器本体の周壁部の上端側周縁から外方に突出する鍔部を有するので、容器本体に収容されたスラリーをお玉等で掬い取った際に、お玉等から垂れるスラリーを鍔部で受け止めることができ、スラリーが周囲に落下したり、容器本体の周壁部の外周面に付着したりすることを防止して、清掃作業の手間を省くことができ、衛生的で使用性に優れる。
（３）装着部と鍔部だけの簡素な構成で量産性、耐久性に優れ、容器本体への着脱作業が容易で、簡単に洗浄することができ、衛生的で取扱い性、メンテナンス性に優れる。
（４）容器本体の周壁部の上端側周縁に装着される装着部を有するので、既存の略円筒状の容器本体だけでなく、注ぎ口が形成された粉つぎ等の各種の容器本体にも装着することができ、汎用性に優れると共に、既存の各種の容器本体を有効に利用することができ、省資源性に優れる。
【０００７】
ここで、液垂れ防止具の材質は、容器本体の材質等に応じて、適宜、選択することができるが、ステンレス鋼、銅、錫等の金属、ポリエチレン、ポリプロピレン、ポリカーボネイト、シリコーン樹脂、フッ素樹脂等のプラスチック、シリコーンゴム、エチレンプロピレンゴム等の合成ゴムが好適に用いられる。
装着部は、容器本体の周壁部の上端側周縁に装着できるものであればよく、その形状や大きさ等は容器本体の形状や大きさ等に応じて、適宜、選択することができる。例えば、容器本体の周壁部に沿って円弧状若しくは円筒状に形成された断面コ字型の挟持部で周壁部の上端側を挟持するもの、容器本体の周壁部に沿って円弧状若しくは円筒状に形成された固着部を周壁部の内周面に当接させて接着、溶着、溶接、螺子止め、ビス止め、リベット止め等で固定するもの、円筒状に形成された挿通部を容器本体の周壁部の内側に挿通して周壁部の上端部で鍔部を支持するもの等を用いることができる。
鍔部は周壁部の上端側周縁から外方に突出することにより、お玉等から垂れるスラリーを受け止めることができればよく、周壁部の上端側周縁の少なくとも一部に配置されていればよい。鍔部の形状は適宜、選択することができるが、三日月状や円弧状（劣弧状）等に形成されたものが好適に用いられる。特に、鍔部の上面が、容器本体の周壁部の上端側周縁から外方に向かって高くなるように傾斜して形成されることにより、鍔部で受け止めたスラリーを速やかに容器本体側に移動させて回収することができ、鍔部上にスラリーが溜まって容器本体の外に落下することを防止でき、信頼性に優れる。
【０００８】
請求項２に記載の考案は、請求項１に記載の液垂れ防止具であって、鍔部の上面に前記容器本体の前記周壁部の上端側周縁から外方に向かって高くなるように形成された傾斜部を備えた構成を有している。
この構成により、請求項１で得られる作用、効果に加え、以下のような作用が得られる。
（１）鍔部の上面に容器本体の周壁部の上端側周縁から外方に向かって高くなるように形成された傾斜部を有することにより、傾斜部で受け止めたスラリーを確実に容器本体側に落下させて回収することができるので、鍔部上にスラリーが溜まって容器本体の外に落下することがなく、周囲や容器本体の周壁部の外周面がスラリーで汚れることを防止でき、衛生的で清掃作業性に優れる。
【０００９】
ここで、傾斜部は鍔部自体を傾斜させて形成してもよいし、鍔部の上面のみを凹ませる等して傾斜部を形成してもよい。
傾斜部の角度は水平面に対して０度〜３０度、好ましくは０度〜２０度傾いているものが好適に用いられる。
傾斜部の角度が０度より小さくなると、鍔部で受け止めたスラリーが容器本体の外部に落下し易くなり、好ましくない。また、傾斜部の角度が２０度より大きくなるにつれ、鍔部の水平方向の幅が減少して、鍔部でスラリーを受け止め難くなり、スラリーが直接、周囲に落下し易くなる傾向がある。傾斜部の角度が３０度より大きくなると、鍔部に十分な面積を確保することができず、鍔部でスラリーを受け止める効果が不十分となり、好ましくない。
【００１０】
請求項３に記載の考案は、請求項１又は２に記載の液垂れ防止具であって、前記装着部が前記容器本体の前記周壁部を挟持する挟持部又は前記周壁部の内周面に当接して固定される固着部を備えた構成を有している。
この構成により、請求項１又は２で得られる作用、効果に加え、以下のような作用が得られる。
（１）装着部が容器本体の周壁部を挟持する挟持部又は周壁部の内周面に当接して固定される固着部を有することにより、鍔部を容器本体の周壁部の上端側周縁に容易に取付けることができ、装着作業性に優れると共に、鍔部上面で受け止められたスラリーが挟持部又は固着部を伝って容器本体の周壁部の内周面側に移動し、スラリーが容器本体の外部に落下することがなく、液垂れ防止の確実性、信頼性に優れる。
（２）装着部が容器本体の周壁部を挟持する挟持部を有する場合、別途、固定手段を用いなくても、液垂れ防止具を容器本体の周壁部の上端側周縁に簡単かつ確実に装着することができ、着脱作業性に優れる。
（３）装着部が容器本体の周壁部の内周面に当接して固定される固着部を有する場合、接着、溶着、溶接、螺子止め、ビス止め、リベット止め等の固定手段を用いることにより、固着部を容器本体の周壁部に強固に固定することができ、液垂れ防止具の固定の安定性、確実性に優れる。
【００１１】
ここで、挟持部を断面コ字型に形成することにより、容器本体の周壁部の上端側を嵌合挟持することができる。このとき、装着部全体を容器本体の周壁部に沿って円弧状に湾曲させ、周壁部の一部を挟持部で挟持するようにしてもよいし、装着部全体を容器本体の周壁部に沿って円筒状に形成して周壁部の一部若しくは全周を挟持部で挟持するようにしてもよい。よって、挟持部は装着部の全長にわたって形成する必要はなく、装着部の一部に形成してもよいし、複数に分割して形成してもよい。尚、挟持部の嵌合部は容器本体の周壁部の厚さに応じて、適宜、選択することができる。
固着部は容器本体の周壁部に沿って円弧状若しくは円筒状に形成することにより、周壁部の内周面に確実に当接させることができ、接着、溶着、溶接、螺子止め、ビス止め、リベット止め等の固定手段で強固に固定することができる。
尚、挟持部は周壁部を挟持するだけでもよいが、固着部と同様の固定手段を併用して固定してもよい。また、固着部が円筒状に形成され全周にわたって周壁部の内周面に当接している場合は、固定手段を省略してもよい。
【００１２】
本考案の請求項４に記載の液垂れ防止容器は、スラリーが収容される容器本体に請求項１乃至３の内いずれか１項に記載の液垂れ防止具が装着された構成を有している。
この構成により、以下のような作用が得られる。
（１）スラリーが収容される容器本体に液垂れ防止具が装着されることにより、容器本体に収容されたスラリーをお玉等で掬い取った際に、お玉等から垂れるスラリーを液垂れ防止具の鍔部で受け止めることができ、スラリーが周囲に落下したり、容器本体の周壁部の外周面に付着したりすることを防止して、清掃作業の手間を省くことができ、衛生的で使用性に優れる。
（２）容器本体の周壁部の上端側周縁に装着される液垂れ防止具を容器本体から取外すことにより、容器本体及び液垂れ防止具の洗浄を簡単かつ確実に行うことができ、衛生的でメンテナンス性に優れる。
（３）容器本体に装着される液垂れ防止具の鍔部の上面に容器本体の周壁部の上端側周縁から外方に向かって高くなるように形成された傾斜部を有する場合、傾斜部で受け止めたスラリーを確実に容器本体側に落下させて回収することができるので、鍔部上にスラリーが溜まって容器本体の外に落下することがなく、周囲や容器本体の周壁部の外周面がスラリーで汚れることを防止でき、衛生的で清掃作業性に優れる。
【００１３】
ここで、液垂れ防止具の材質及び各部の形状や大きさ等は請求項１乃至３で説明した通りなので、説明を省略する。
【図面の簡単な説明】
【００１４】
【図１】（ａ）実施の形態１の液垂れ防止具を示す模式斜視図  （ｂ）実施の形態１の液垂れ防止具の要部断面模式図
【図２】実施の形態１の液垂れ防止具を備えた液垂れ防止容器の要部断面模式端面図
【図３】（ａ）実施の形態２の液垂れ防止具を示す模式斜視図  （ｂ）実施の形態２の液垂れ防止具の要部断面模式図
【図４】実施の形態２の液垂れ防止具を備えた液垂れ防止容器の要部断面模式端面図
【考案を実施するための最良の形態】
【００１５】
以下、本考案を実施するための最良の形態を説明する。尚、本考案の技術的範囲はこれらの実施の形態に限定されるものではない。
（実施の形態１）
本考案の実施の形態１における液垂れ防止具及びそれを備えた液垂れ防止容器について、以下図面を参照しながら説明する。
図１（ａ）は実施の形態１の液垂れ防止具を示す模式斜視図であり、図１（ｂ）は実施の形態１の液垂れ防止具の要部断面模式図である。
図１中、１はステンレス鋼、銅、錫等の金属等で形成された実施の形態１の液垂れ防止具、２は断面が略コ字形の挟持部３を有し略円弧状に形成された液垂れ防止具１の装着部、３ａは挟持部３の内周側当接部、３ｂは内周側当接部３ａと離間して形成された挟持部３の外周側当接部、３ｃは内周側当接部３ａと外周側当接部３ｂの間に形成された挟持部３の嵌合部、４は装着部２の上端から延設され外方に向かって突出する液垂れ防止具１の円弧状の鍔部、４ａは装着部２の上端から外方に向かって高くなるように形成された鍔部４の上面の傾斜部である。
【００１６】
以上のように構成された実施の形態１の液垂れ防止具の使用方法について説明する。
図２は実施の形態１の液垂れ防止具を備えた液垂れ防止容器の要部断面模式端面図である。
図２中、１０は実施の形態１の液垂れ防止具１が嵌着された液垂れ防止容器、１１はステンレス鋼等で略円筒状で有底に形成された液垂れ防止容器１０の容器本体、１１ａは容器本体１１の上端側の開口部、１１ｂは容器本体１１の周壁部、２０は液垂れ防止容器１０に収容されタコ焼、鯛焼、クレープ等を作る際に用いられる小麦粉の練り生地等のスラリーである。
図２において、液垂れ防止具１の装着部２における挟持部３で容器本体１１の周壁部１１ｂの上端部を嵌合、挟持することにより、容器本体１１に容易に液垂れ防止具１を装着することができる。これにより、容器本体１１に収容されたスラリー２０をお玉等で掬い取った際に、お玉等から垂れるスラリー２０を鍔部４で受け止めることができ、スラリー２０が周囲に落下したり、容器本体１１の周壁部１１ｂの外周面に付着したりすることを効果的に防止できる。
【００１７】
液垂れ防止具１の装着部２の曲率は容器本体１１の周壁部１１ｂの曲率に合わせて形成することができ、容器本体１１の大きさに応じて、予め複数種類の液垂れ防止具１を作製することにより、各種の容器本体１１に対応することができる。尚、液垂れ防止具１が合成樹脂製やゴム製で柔軟性を有する場合は、装着部２及び鍔部４を直線状に形成し、容器本体１１の周壁部１１ｂの曲率に合わせて湾曲させて装着することもできる。また、容器本体１１の種類は特に限定されるものではなく、開口部１１ａの一部に蓋が形成されたものや周壁部１１ｂに注ぎ口が形成されたものに対しても液垂れ防止具１を装着することができる。
図１（ａ）に示したように、鍔部４の全長にわたって内周側当接部３ａが形成されることにより、鍔部４で受け止めたスラリー２０を確実に容器本体１１の内部に案内することができ、スラリー２０が容器本体１１の周囲等に落下することを防止できる。尚、本実施の形態では、装着部２の全長にわたって内周側当接部３ａと外周側当接部３ｂを有する挟持部３を形成したが、外周側当接部３ｂを装着部２の幅方向の一部のみに形成することや、複数に分割して形成することもでき、外周側当接部３ｂが形成された部分だけを内周側当接部３ａと共に挟持部３として使用することができる。このとき、挟持部３の嵌合部３ｃを容器本体１１の周壁部１１ｂの厚さと略同等かやや広めに形成することにより、挟持部３で周壁部１１ｂを挟持して容器本体１１に液垂れ防止具１を安定的に保持することができる。尚、必要に応じて、容器本体１１の周壁部１１ｂと液垂れ防止具１の装着部２を接着、溶着、溶接、螺子止め、ビス止め、リベット止め等の固定手段で強固に固定してもよい。
【００１８】
本実施の形態では、液垂れ防止具１の鍔部４全体を傾斜させ、鍔部４の上面全体を傾斜部４ａとした。このとき、傾斜部４ａの角度は水平面に対して０度〜３０度傾けた。傾斜部４ａの角度が０度より小さくなると、鍔部４で受け止めたスラリー２０が容器本体１１の外部に落下し易くなり、３０度より大きくなると、鍔部４に十分な水平投影面積を確保することができず、また、先端が高くなり過ぎて使用しづらく、鍔部４でスラリー２０を受け止める効果が不十分となることがわかったためである。尚、傾斜部４ａは鍔部４の上面全体に形成する必要はなく、一部のみに形成してもよい。また、傾斜部４ａは角度が一様な直線状である必要はなく、場所によって角度を変化させたり、湾曲させたりしてもよい。
鍔部４の幅は容器本体１１の大きさ等に応じて、適宜、選択することができるが、水平投影距離が１０ｍｍ〜５０ｍｍであることが好ましい。鍔部４の幅の水平投影距離が１０ｍｍより狭くなるにつれ、鍔部４でスラリー２０を受け止め難くなり、スラリー２０が直接、周囲に落下し易くなる傾向があり、５０ｍｍより広くなるにつれ、鍔部４の突出量が増え、液垂れ防止容器１０の省スペース性、取扱い性が低下し易くなる傾向があり、いずれも好ましくない。本実施の形態では、鍔部４を幅が一定の円弧状（劣弧状）に形成したことにより、鍔部４の場所によらず、スラリー２０を受け止めて回収することができる。尚、鍔部４の形状はこれに限定されるものではなく、中央部幅が広く、両端側の幅が狭い三日月状に形成することもできる。
【００１９】
以上のように、本考案の実施の形態１における液垂れ防止具は構成されているので、以下のような作用が得られる。
（１）スラリーが収容される容器本体の周壁部の上端側周縁に装着される装着部を有するので、既存の容器本体に容易に装着することができ、装着作業性、汎用性に優れる。
（２）装着部に延設され容器本体の周壁部の上端側周縁から外方に突出する鍔部を有するので、容器本体に収容されたスラリーをお玉等で掬い取った際に、お玉等から垂れるスラリーを鍔部で受け止めることができ、スラリーが周囲に落下したり、容器本体の周壁部の外周面に付着したりすることを防止して、清掃作業の手間を省くことができ、衛生的で使用性に優れる。
（３）装着部と鍔部だけの簡素な構成で量産性、耐久性に優れ、容器本体への着脱作業が容易で、簡単に洗浄することができ、衛生的で取扱い性、メンテナンス性に優れる。
（４）容器本体の周壁部の上端側周縁に装着される装着部を有するので、既存の略円筒状の容器本体だけでなく、注ぎ口が形成された粉つぎ等の各種の容器本体にも装着することができ、汎用性に優れると共に、既存の各種の容器本体を有効に利用することができ、省資源性に優れる。
（５）鍔部の上面に容器本体の周壁部の上端側周縁から外方に向かって高くなるように形成された傾斜部を有することにより、傾斜部で受け止めたスラリーを確実に容器本体側に落下させて回収することができるので、鍔部上にスラリーが溜まって容器本体の外に落下することがなく、周囲や容器本体の周壁部の外周面がスラリーで汚れることを防止でき、衛生的で清掃作業性に優れる。
（６）装着部が容器本体の周壁部を挟持する挟持部を有することにより、鍔部を容器本体の周壁部の上端側周縁に容易に取付けることができ、装着作業性に優れると共に、鍔部上面で受け止められたスラリーが挟持部を伝って容器本体の周壁部の内周面側に移動し、スラリーが容器本体の外部に落下することがなく、液垂れ防止の確実性、信頼性に優れる。
（７）装着部が容器本体の周壁部を挟持する挟持部を有するので、別途、固定手段を用いなくても、液垂れ防止具を容器本体の周壁部の上端側周縁に簡単かつ確実に装着することができ、着脱作業性に優れる。
【００２０】
以上のように、本考案の実施の形態１における液垂れ防止具を備えた液垂れ防止容器は構成されているので、以下のような作用が得られる。
（１）スラリーが収容される容器本体に液垂れ防止具が装着されることにより、容器本体に収容されたスラリーをお玉等で掬い取った際に、お玉等から垂れるスラリーを液垂れ防止具の鍔部で受け止めることができ、スラリーが周囲に落下したり、容器本体の周壁部の外周面に付着したりすることを防止して、清掃作業の手間を省くことができ、衛生的で使用性に優れる。
（２）容器本体の周壁部の上端側周縁に装着される液垂れ防止具を容器本体から取外すことにより、容器本体及び液垂れ防止具の洗浄を簡単かつ確実に行うことができ、衛生的でメンテナンス性に優れる。
（３）容器本体に装着される液垂れ防止具の鍔部の上面に容器本体の周壁部の上端側周縁から外方に向かって高くなるように形成された傾斜部を有するので、傾斜部で受け止めたスラリーを確実に容器本体側に落下させて回収することができるので、鍔部上にスラリーが溜まって容器本体の外に落下することがなく、周囲や容器本体の周壁部の外周面がスラリーで汚れることを防止でき、衛生的で清掃作業性に優れる。
【００２１】
（実施の形態２）
本考案の実施の形態２における液垂れ防止具及びそれを備えた液垂れ防止容器について、以下図面を参照しながら説明する。尚、実施の形態１と同様のものには同一の符号を付して説明を省略する。
図３（ａ）は実施の形態２の液垂れ防止具を示す模式斜視図であり、図３（ｂ）は実施の形態２の液垂れ防止具の要部断面模式図であり、図４は実施の形態２の液垂れ防止具を備えた液垂れ防止容器の要部断面模式端面図である。
図３において、実施の形態２における液垂れ防止具１Ａが実施の形態１と異なるのは、装着部２Ａが挟持部３の代わりに円弧状に形成された固着部３Ａを備えている点である。
これにより、図４に示したように、固着部３Ａを容器本体１１の周壁部１１ｂの内周面に当接させて、接着、溶着、溶接、螺子止め、ビス止め、リベット止め等の固定手段によって固定し、実施の形態２の液垂れ防止容器１０Ａを得ることができる。
その他については実施の形態１と同様であるので、説明を省略する。
【００２２】
以上のように、本考案の実施の形態２における液垂れ防止具は構成されているので、実施の形態１の（１）乃至（５）と同様の作用に加え、以下のような作用が得られる。
（１）装着部が周壁部の内周面に当接して固定される固着部を有することにより、鍔部を容器本体の周壁部の上端側周縁に容易に取付けることができ、装着作業性に優れると共に、鍔部上面で受け止められたスラリーが固着部を伝って容器本体の周壁部の内周面側に移動し、スラリーが容器本体の外部に落下することがなく、液垂れ防止の確実性、信頼性に優れる。
（２）装着部が容器本体の周壁部の内周面に当接して固定される固着部を有するので、接着、溶着、溶接、螺子止め、ビス止め、リベット止め等の固定手段を用いることにより、固着部を容器本体の周壁部に強固に固定することができ、液垂れ防止具の固定の安定性、確実性に優れる。
【００２３】
以上のように、本考案の実施の形態２における液垂れ防止具を備えた液垂れ防止容器は構成されているので、実施の形態１と同様の作用が得られる。
【産業上の利用可能性】
【００２４】
本考案は、簡素な構成で量産性、耐久性に優れ、既存の容器本体に容易に装着することができ、容器本体に収容された各種のスラリーをお玉等で掬い取った際に、お玉等から垂れるスラリーを受け止めて確実に容器本体に回収することができ、スラリーが周囲に落下したり、容器本体の外周面に付着したりすることを防止して、清掃作業の手間を省くことができ、衛生的で使用性、洗浄性に優れる液垂れ防止具の提供を行うことができ、既存の各種の容器本体の取扱い性を向上させることができる。また、液垂れ防止具を備えることにより、容器本体に収容された各種のスラリーをお玉等により掬い取った際に、お玉等から垂れるスラリーを液垂れ防止具で受け止めて確実に容器本体に回収することができ、スラリーが周囲に落下したり、容器本体の外周面に付着したりすることを防止して、清掃作業の手間を省くことができ、衛生的で使用性、洗浄性に優れ、スラリーを無駄にすることなく使用することができ、省資源性に優れる液垂れ防止容器の提供を行うことができ、タコ焼、鯛焼、クレープ等を作る際の作業者の負担を軽減し、衛生面の向上を図ることができる。
【符号の説明】
【００２５】
１，１Ａ  液垂れ防止具
２，２Ａ  装着部
３  挟持部
３Ａ  固着部
３ａ  内周側当接部
３ｂ  外周側当接部
３ｃ  嵌合部
４  鍔部
４ａ  傾斜部
１０，１０Ａ  液垂れ防止容器
１１  容器本体
１１ａ  開口部
１１ｂ  周壁部
２０  スラリー
【図１】
0003205621.tif 000003
【図２】
0003205621.tif 000004
【図３】
0003205621.tif 000005
【図４】
0003205621.tif 000006